(57)【要約】【課題】トイレルームの側壁と、トイレ用キャビネットの側縁との間に生じる隙間が目立ちにくいトイレ用キャビネットの設置構造を提供すること。【解決手段】便器本体２１の背面側に配置されるトイレ用キャビネット３であって、便器本体２１の背面側に配置され、トイレ用キャビネット３の前面部を構成する前パネル３１と、前パネル３１の左右両側縁に沿って上下方向に延びる一対の照明装置６と、を備える、トイレ用キャビネット３である。一対の照明装置６は、少なくとも前パネル３１の上下方向の中央に配置されることが好ましい。【選択図】図１
2020089677.tif 000002
【特許請求の範囲】
【請求項１】
便器本体の背面側に配置されるトイレ用キャビネットであって、
前記便器本体の背面側に配置され、前記トイレ用キャビネットの前面部を構成する前パネルと、
前記前パネルの左右両側縁に沿って上下方向に延びる一対の照明装置と、を備える、トイレ用キャビネット。
【請求項２】
前記一対の照明装置は、少なくとも前記前パネルの上下方向の中央に配置される、請求項１に記載のトイレ用キャビネット。
【請求項３】
前記照明装置は、前記前パネルの上下方向の一端側から他端側まで延びて配置される、請求項１又は２に記載のトイレ用キャビネット。
【請求項４】
前記前パネルの一対の側端部はそれぞれ、前記側端部に対向するトイレルームの一対の側壁から離れた位置に配置され、
前記照明装置は、前記前パネルの背面側に配置され、前記側壁と前記前パネルとの間に形成される隙間から光を照射する、請求項１〜３のいずれか１項に記載のトイレ用キャビネット。
【請求項５】
前記照明装置は、前記前パネルの背面で前記トイレ用キャビネットの正面視から視認されない位置に配置され、少なくとも前記一対の側壁に対して光を照射する間接照明装置である、請求項４に記載のトイレ用キャビネット。
【発明の詳細な説明】
【技術分野】
【０００１】
本発明は、トイレ用キャビネットに関する。
【背景技術】
【０００２】
従来、トイレルーム内に配置され、便器本体の背面側に配置されるトイレ用キャビネットが知られている。トイレ用キャビネットは、トイレルームの便器本体を挟んで対向する一対の側壁の間で、トイレ用キャビネットの幅が、トイレルームの一対の側壁の間の全幅に亘るように配置されている（例えば、特許文献１参照）。また、特許文献１に記載のトイレ用キャビネットには、夜間にトイレルームを使用する場合に使用者の足元を照らすため、トイレ用キャビネットの内部に照明装置が設置されている。
【先行技術文献】
【特許文献】
【０００３】
【特許文献１】特開２０１８−７９０５６号公報
【発明の概要】
【発明が解決しようとする課題】
【０００４】
トイレルーム等を含む建築物は、施工時の誤差や周囲環境によって歪みが生じている場合があり、トイレルームの側壁の間にトイレ用キャビネットを配置しようとする際に、トイレルームの側壁とトイレ用キャビネットの側端部との間に隙間が生じ、建築物の歪みが目立ってしまうことがあった。そこで、この歪みが目立ちにくいトイレ用キャビネットが望まれていた。
【課題を解決するための手段】
【０００５】
本発明は、便器本体（例えば、後述の便器本体２１）の背面側に配置されるトイレ用キャビネット（例えば、後述のトイレ用キャビネット３）であって、前記便器本体の背面側に配置され、前記トイレ用キャビネットの前面部を構成する前パネル（例えば、後述の前パネル３１）と、前記前パネルの左右両側縁に沿って上下方向に延びる一対の照明装置（例えば、後述の照明装置６）と、を備える、トイレ用キャビネットに関する。
【０００６】
前記一対の照明装置は、少なくとも前記前パネルの上下方向の中央に配置されることが好ましい。
【０００７】
前記照明装置は、前記前パネルの上下方向の一端側から他端側まで延びて配置されることが好ましい。
【０００８】
前記前パネルの一対の側端部はそれぞれ、前記側端部に対向するトイレルーム（例えば、後述のトイレルーム１００）の一対の側壁（例えば、後述の一対の側壁１０２）から離れた位置に配置され、前記照明装置は、前記前パネルの背面側に配置され、前記側壁と前記前パネルとの間に形成される隙間（例えば、後述の第１の隙間Ｓ１）から光を照射することが好ましい。
【０００９】
前記照明装置は、前記前パネルの背面で前記トイレ用キャビネットの正面視から視認されない位置に配置され、少なくとも前記一対の側壁に対して光を照射する間接照明装置であることが好ましい。
【発明の効果】
【００１０】
本発明によれば、トイレルームの側壁と、トイレ用キャビネットの側端部との間に生じる隙間が目立ちにくいトイレ用キャビネットを提供することができる。
【図面の簡単な説明】
【００１１】
【図１】本実施形態のトイレ用キャビネット示す正面図である。
【図２】本実施形態のトイレ用キャビネットの側面図である。
【図３】本実施形態のトイレ用キャビネットの上面図である。
【図４】本実施形態の間口調整材、連結側板及び照明装置の斜視図である。
【図５】他の実施形態の前パネル及び巾木の下端近傍を示す拡大した側面図である。
【発明を実施するための形態】
【００１２】
以下、本発明の実施形態について、図面を参照しながら詳細に説明する。
図１は、本実施形態におけるトイレルーム１００内のトイレ用キャビネット３を示す図である。トイレ用キャビネット３は、トイレルーム１００内に配置されるとともに、便器装置２の便器本体２１が取り付けられる。
【００１３】
トイレルーム１００は、図１に示すように、略直方形の空間であり、長手方向がトイレルーム１００の手前側の入口（図示省略）と入口に対向する奥側とを結ぶ前後方向に沿っている。トイレルーム１００は、奥側の後壁１０１と、後壁１０１の幅方向の一方及び他方の一対の側壁１０２と、出入口用の扉が設けられた前壁（図示省略）と、トイレ用キャビネット３が設けられる床面１０３と、を有する。
なお、本明細書において、上下方向とは天地方向であり、幅方向とは、図１に示すように、トイレルーム１００の入口側から後壁１０１に向かって、トイレ用キャビネット３を正面から見た場合の左右を結ぶ横方向を意味する。また、左右とは、トイレ用キャビネット３を正面から見た場合の左右を意味する。
【００１４】
図２は、トイレルーム１００の側面図である。図３は、トイレルーム１００の上面図である。
便器装置２は、図２に示すように、便器本体２１と、便蓋２２と、給水部２３と、排水部２４と、を有する。
【００１５】
便器本体２１は、上部が開口した凹部が形成されたボウル部２１０を有する平面視略Ｕ字状の容器である。便器本体２１は、使用者が着座して使用する便器を構成する主要部分であり、ボウル部２１０の底部には汚物を排出する排水口が形成されている。便器本体２１は、下端部が床面１０３から上方に離れた位置に配置されている。便器本体２１は、いわゆる壁掛け式であり、便器本体２１が後述するトイレ用キャビネット３に接続されて、床面１０３から宙に浮いたように設置されている。便器本体２１は、床面１０３から、例えば６０ｍｍ〜１１０ｍｍ程度上方に離れた位置に取り付けられている。
【００１６】
便蓋２２は、便器本体２１のボウル部２１０における開口を覆う蓋であり、後方側にヒンジで接続されて開閉される。
給水部２３は、便器本体２１に排水用の水を供給する機構である。給水部２３は、建物の内部に設けられた給水管（図示省略）に接続され、ボウル部２１０に供給する水を貯水する給水タンク２３０を有する。
排水部２４は、便器本体２１に接続され、便器本体２１の排水口から排出される汚水を下水へ排水するエルボ管２４１及び蛇腹管２４２を有する。エルボ管２４１は、排水口に接続されており、蛇腹管２４２は、エルボ管２４１の下流側端部から床下の下水管へと接続される。
【００１７】
図３は、トイレルーム１００の上面図である。図３では、カウンター３３０を省略して示している。
トイレ用キャビネット３は、図１〜図３に示すように、便器本体２１の背面側と、トイレルーム１００の後壁１０１との間に配置される。トイレ用キャビネット３は、床面１０３から便器装置２の上部を越えて上方へ延びるとともに、後壁１０１側へ奥行を有する。トイレ用キャビネット３は、便器装置２のタンクや止水栓等が配置される給水部２３や排水部２４等を覆い隠す棚である。
トイレ用キャビネット３は、収容部３０と、前パネル３１と、巾木３２と、一対の間口調整材４と、一対の連結側板５と、一対の照明装置６と、センサ７と、制御部（図示省略）と、を有する。
【００１８】
収容部３０は、便器本体２１の背面と後壁１０１との間に配置され、便器装置２の給水部２３や排水部２４、便器装置２の電源（図示省略）等の構成部を内部に収容する略直方形の空間である。収容部３０は、フレーム３５０と、補強木３２０と、カウンター３３０と、を有する。
【００１９】
フレーム３５０は、図１に示すように、便器本体２１、給水部２３及び排水部２４等を固定支持する土台を形成する枠である。フレーム３５０は、一対の縦桟３５１、上桟３５２、及び下桟３５３を有する。
一対の縦桟３５１は、便器本体２１の背面側で、後壁１０１から前方側に所定距離離れた位置に、上下方向に延びる金属製の枠材である。一対の縦桟３５１は、便器本体２１の幅方向の一方及び他方に配置される。縦桟３５１には、後述する前パネル３１を介して便器本体２１が固定される。また、一対の縦桟３５１の間に、横方向に延びる支持部材３５４（図２参照）が取り付けられ、給水タンク２３０が支持部材３５４に固定支持される。
上桟３５２は収容部３０の上部側で、下桟３５３は収容部３０の下部側で、一対の縦桟３５１の間に横方向に渡される金属製の枠材である。
【００２０】
補強木３２０は、後壁１０１に直接取り付けられる板材であり、収容部３０の上部でフレーム３５０に対向する位置に配置される。
【００２１】
カウンター３３０は、収容部３０の上部を覆う長方形の板である。カウンター３３０は補強木３２０に回動可能にヒンジで接続され、収容部３０の上部開口を開閉可能な蓋を構成する。カウンター３３０の手前側の縁は、上桟３５２に間接的に支持される。
【００２２】
前パネル３１は、便器本体２１が固定されるフレーム３５０の縦桟３５１に接続されて支持され、便器本体２１の背面側に取り付けられる。前パネル３１は、収容部３０の前側と便器本体２１とを隔てる四角形の板状の部材である。前パネル３１は、便器本体２１の下方から上端部を越えて上下方向に延び、トイレ用キャビネット３の最前面部を構成する。前パネル３１は、上端側で幅方向に延びる上端縁３１ａと、下端側で幅方向に延びる下端縁３１ｂと、幅方向の一方及び他方で上下方向に延びる側縁３１ｃ、３１ｄとを有する。
【００２３】
前パネル３１の幅方向に沿う寸法は、便器本体２１の幅よりも大きく、前パネル３１は、トイレ用キャビネット３の幅方向の一方側から他方側へ延びるように配置されている。しかし、図１及び図３に示すように、前パネル３１の一対の側端部で上下方向に延びる側縁３１ｃ、３１ｄは、それぞれの側端部に対向するトイレルーム１００の一対の側壁１０２から離れた位置に配置されており、側壁１０２にぴったりと付き合わされてはいない。すなわち、前パネル３１の一対の側端部は、それぞれ一対の側壁１０２から離れて、第１の隙間Ｓ１を有して配置されている。第１の隙間Ｓ１は、例えば５ｍｍ〜４０ｍｍ程度、好ましくは１０ｍｍ〜３５ｍｍ程度であってよい。
【００２４】
前パネル３１は、複数の板が隣接して配置されることで構成されており、上部前板部３１１と、下部右側前板部３１２と、下部左側前板部３１３と、下部中央前板部３１４と、を有する。
【００２５】
上部前板部３１１は、前パネル３１の上部に配置される四角形の一枚の板材である。上部前板部３１１は、縦桟３５１に固定される。
【００２６】
下部右側前板部３１２は、前パネル３１の下部の正面視右側に配置される四角形の板であり、便器本体２１の下方の右側に配置される。下部右側前板部３１２は、ダボと孔の構成により上部前板部３１１に接続されており、また、後述する下部中央前板部３１４に接続されることで、間接的に縦桟３５１に支持される。
【００２７】
下部左側前板部３１３は、前パネル３１の下部の正面視左側に配置される四角形の板であり、便器本体２１の下方の左側に配置される。下部左側前板部３１３は、ダボと孔の構成により上部前板部３１１に接続されており、また、後述する下部中央前板部３１４に接続されることで、間接的に縦桟３５１に支持される。
【００２８】
下部中央前板部３１４は、前パネル３１の下部の正面視中央側に配置される板であり、便器本体２１の形状に沿って上部側が切り欠かれている。下部中央前板部３１４は、便器本体２１の背面側に配置され、縦桟３５１に固定される。
【００２９】
前パネル３１の下端部に沿って延びる下端縁３１ｂ、すなわち、下部右側前板部３１２、下部左側前板部３１３及び下部中央前板部３１４の下端縁は、図１及び図２に示すように、床面１０３から上方に離れた位置に配置されており、床面１０３に直接接続されていない。前パネル３１は、床面１０３から、少なくとも１０ｍｍ以上離れた位置に取り付けられ、好ましくは２０ｍｍ〜５０ｍｍ、例えば３０ｍｍ〜４０ｍｍ程度離れた位置に取り付けられる。
【００３０】
巾木３２は、図２に示すように、縦桟３５１に固定されて前パネル３１の下端部の背面側に配置され、前パネル３１の幅方向の一方から他方に延びる細長い板材である。巾木３２は、前パネル３１の背面と前後方向に重なり、床面１０３に当接する。巾木３２の前面は、前パネル３１の背面に接している。巾木３２は、前パネル３１とは異なる色調に形成されており、例えば、トイレルーム１００の側壁１０２と同系色である。
【００３１】
図４は、前パネル３１に間口調整材４、連結側板５及び照明装置６が取り付けられた状態の斜視図である。間口調整材４は、トイレ用キャビネット３の上下方向に沿って延びる縦長の板材であり、長手方向側縁４１と、短手方向側縁４２と、長孔４３と、を有する。
長手方向側縁４１は、前パネル３１の側縁３１ｃ、３１ｄに沿って配置される。
短手方向側縁４２は、前パネル３１の幅方向に沿って配置される。
長孔４３は、間口調整材４の上端側及び下端側に短手方向に沿って形成される。
【００３２】
間口調整材４は、図３に示すように、前パネル３１の背面側で、前パネルの一対の側縁３１ｃ、３１ｄ近傍に、前パネル３１と前後方向に重なるように一対配置される。間口調整材４は、長孔４３に挿通させるビス４４の位置を調整することにより左右方向に移動可能に取り付けられ、間口調整材４の短手方向側縁４２の外側端部が、トイレルーム１００の側壁１０２に当接するように近接させて取り付けられる。ここで、間口調整材４が側壁１０２に「当接可能」とは、間口調整材４を側壁１０２に当接させるか、また、施工誤差等で側壁１０２にぴったりと当接しない場合でも、当接するほどに近接させることが可能であることを意味する。図１及び図４に示すように、間口調整材４の短手方向側縁４２の外側端部は、前パネル３１よりも幅方向の外側に位置する。
【００３３】
間口調整材４は、前パネル３１の背面から後方に離れ、前パネル３１の背面との間に第２の隙間Ｓ２を有して配置される。前パネル３１の背面と間口調整材４との間の第２の隙間Ｓ２の寸法は、前パネル３１の側端部とトイレルーム１００の側壁１０２との間の第１の隙間Ｓ１の寸法よりも大きく、例えば、４０ｍｍ〜６０ｍｍ程度、好ましくは４５ｍｍ〜５５ｍｍ程度である。第２の隙間Ｓ２の方が第１の隙間Ｓ１よりも大きいことで、第２の隙間Ｓ２の奥行きにより前パネル３１の独立性が際立ち、前パネル３１が浮遊しているような浮遊感が実現される。
【００３４】
間口調整材４は、白色、ベージュ、クリーム色等の光を反射させやすい色調及び素材で構成される。白、ベージュ、クリーム色等の白色系の色調は、黒色系や赤色系等と比べると光を反射させやすい。このため、間口調整材４の反射板としての機能を発揮させやすくなる。
【００３５】
間口調整材４は、図１に示すように、間口調整材４の下端部が巾木３２の幅方向外側に配置されており、巾木３２に対していわゆる「縦勝ち」に配置されている。間口調整材４と巾木３２は、正面視で連続したように見え、間口調整材４と巾木３２が前パネル３１の下側の周囲を上部が開口したコの字状に囲んでいるように配置されている。
【００３６】
連結側板５は、前パネル３１の背面と間口調整材４とを連結する板であり、前パネル３１及び間口調整材４に対して略直交するように取り付けられる。連結側板５は、間口調整材４とほぼ同程度の長さを有する縦長の板材である。連結側板５の幅方向の長さは、第２の隙間Ｓ２に対応する。図４に示すように、連結側板５の前パネル３１側の短手方向の端部における、前パネル３１と接する端面には、前パネル３１側に向かって突出するボス５１が形成されており、前パネル３１の背面側の対応する位置に形成される孔に挿入されて連結される。
【００３７】
図４を参照して、連結側板５と間口調整材４の連結手順について説明する。前パネル３１の幅方向の寸法は、トイレルーム１００の一対の側壁１０２同士の間の距離よりも短いので、前パネル３１の幅方向の外側に第１の隙間Ｓ１が開く。第１の隙間Ｓ１の大きさに応じて、間口調整材４の位置は、便器本体２１寄りか、側壁１０２寄りか、施工現場で位置を調整される。間口調整材４の長孔４３にビス４４を挿通させ、間口調整材４と連結側板５とをＬ字型金具５２で仮留めする。間口調整材４の短手方向側縁４２の外側（トイレルーム１００の側壁１０２側）の端部が側壁１０２に当接するように近接させて左右方向に移動させ、位置を調整した後、間口調整材４の上端側及び下端側に挿通されているビス４４を締め、一対の間口調整材４を固定する。
【００３８】
照明装置６は、前パネル３１の背面側のやや内側（前パネル３１の幅方向中央寄り）で、前パネル３１の両側縁３１ｃ、３１ｄに沿って延びるように一対配置される。詳細には照明装置６は、図２に示すように前パネル３１の両側縁３１ｃ、３１ｄの背面と、間口調整材４との間で、連結側板５に取り付けられ、トイレ用キャビネット３の正面視では視認されない位置に配置される。照明装置６は、トイレ用キャビネット３の一対の側縁３１ｃ、３１ｄ側からトイレルーム１００の一対の側壁１０２に対して光を照射する間接照明装置である。照明装置６は、照明ケース６１と、照明カバー６２と、照明素子及びケーブル（図示省略）とを有する。
【００３９】
照明ケース６１は、内部に照明素子及びケーブルが格納された直方体のケースである。照明ケース６１は、前パネル３１の上下方向の側縁３１ｃ、３１ｄにおける一方側の端部側から他方側の端部側まで延びるように配置される。詳細には、照明ケース６１の長さは、前パネル３１の側縁３１ｃ、３１ｄの長さよりもわずかに短く、照明ケース６１の端部は、前パネル３１の上下方向の端部よりもやや内側に位置している。なお、図３に示すように、照明ケース６１は、前パネル３１の一方の側縁３１ｃ側と他方の側縁３１ｄ側とでは、奥行き方向に互い違いにずれて配置されており、一方の側縁３１ｃ側では前パネル３１の背面から奥側へ離れた位置で連結側板５に取り付けられ、他方の側縁３１ｄ側では前パネル３１の背面に当接するように連結側板５に取り付けられている。
【００４０】
照明カバー６２は、照明ケース６１が取り付けられた状態で、照明ケース６１における少なくとも前パネル３１の幅方向の外側を覆うように取り付けられる。照明カバー６２は、トイレルーム１００の側壁１０２側を向くように配置される。
【００４１】
照明素子は、照明ケース６１の内部に配置されている（図示省略）。照明素子が点灯することで照明装置６が発光する。照明素子は、発光の範囲が前パネル３１の上下方向に亘るように、照明ケース６１内の上下方向に沿って並ぶように配置されている。
【００４２】
センサ７は、センサ７の検知結果に基づいて作動するトイレルームの環境を制御する設備機器としての照明装置６に接続される。センサ７は、便器装置２に近付く人体を検知する焦電型赤外線人体検知センサである。センサ７は、トイレ用キャビネット３の前面である前パネル３１に取り付けられ、使用者がトイレルーム１００に入室して、便器装置２に予め設定した所定距離近づくと、人体を検知し、検知結果を制御部へ出力する。センサ７は、トイレ用キャビネット３の前面である前パネル３１に配置され、その検知範囲が便器装置２の便蓋２２又は便座の全開又は全閉時において便蓋２２又は便座に干渉しない位置に設定される。便蓋２２又は便座に干渉しないとは、センサ７の検知範囲内に全開又は全閉時の便蓋２２又は便座が配置されていないことを意味する。図１に示すように、本実施形態では、センサ７は、便器装置２の正面視左側、便蓋２２の幅方向の外側で、便蓋２２の上面よりも上方の前パネル３１の表面に配置されている。
【００４３】
制御部は、センサ７及び照明装置６に接続される。制御部は、センサ７が人体を検知すると、検知結果に応じて照明装置６を点灯させる。また、制御部はタイマーに接続されており、照明装置６の点灯後所定時間が経過すると、照明装置６を消灯させる。
【００４４】
本実施形態によれば、以下の効果が奏される。
本実施形態では、トイレルーム１００内に配置され、便器本体２１の背面側に配置されるトイレ用キャビネット３を、便器本体２１の背面側に配置され、トイレ用キャビネット３の前面部を構成する前パネル３１と、前パネル３１の左右両側縁に沿って上下方向に延びる一対の照明装置６と、を含んで構成した。
前パネルの左右の両側縁３１ｃ、３１ｄに沿って上下方向に延びるように一対の照明装置６が配置されていると、照明装置６が前パネル３１の側縁３１ｃ、３１ｄからトイレルーム１００の側壁１０２を照らすので、前パネル３１の側縁３１ｃ、３１ｄと側壁１０２との間の境界に形成される隙間Ｓ１がぼやけて目立たなくなる。このとき、前パネル３１の上下方向に沿って照らされた部分が明るくなることで、前パネル３１の側縁３１ｃ、３１ｄと側壁１０２との間の隙間Ｓ１を目立たなくすることができる。よって、前パネル３１や側壁１０２の施工時の傾きが目立たなくなり、トイレルーム１００の外観が良好になる。また、傾きが目立たなくなることで、施工性が向上する。
【００４５】
本実施形態では、照明装置６を、前パネル３１の上下方向の一端側から他端側まで延びるように配置させた。これにより、前パネル３１の側縁３１ｃ、３１ｄと側壁１０２との間の隙間Ｓ１が広い範囲でぼやけて目立たなくなる。よって、より確実に前パネル３１の側縁３１ｃ、３１ｄと側壁１０２との間の第１の隙間Ｓ１を目立たなくすることができ、上記と同様の効果を奏する。
【００４６】
前パネル３１の一対の側端部それぞれを、側端部に対向するトイレルーム１００の一対の側壁１０２から離れた位置に配置し、照明装置６を、前パネル３１の背面側に配置し、側壁１０２と前パネル３１との間に形成される第１の隙間Ｓ１から光を照射させた。照明装置６が前パネル３１の背面側で第１の隙間Ｓ１から光を照射することで、前パネル３１の側端部と側壁１０２との間の第１の隙間Ｓ１を目立たなくすることができ、上記と同様の効果を奏する。
【００４７】
本実施形態では、照明装置６を、前パネル３１の背面でトイレ用キャビネット３の正面視から視認されない位置に配置し、少なくとも一対の側壁１０２に対して光を照射する間接照明装置とした。
照明装置６を一対の側壁１０２に直接取り付けずに、前パネル３１の背面側に配置してトイレルーム１００の側壁１０２を照らす間接照明にすることで、照明装置６の照度が弱めに、柔らかく広い範囲で光を照射することができるので、第１の隙間Ｓ１をより目立たなくすることができる。
【００４８】
以上、本発明の好ましい実施形態について説明したが、本発明は、上述の実施形態に制限されるものではなく、適宜変更が可能である。
例えば、巾木３２や間口調整材４、照明装置６の正面視で見える部分は、互いに面一ではなく、前後方向でずれて配置されている。これらの部材のうちどの部材が前方に位置するか後方に位置するかは、適宜変更してよい。
【００４９】
また、上記実施形態では、照明装置６は前パネル３１の上下方向の一端側から他端側まで延びるように配置されているが、これに限られない。少なくとも上下方向の中央に配置されていれば、上記実施形態の照明装置より短く形成してもよい。照明装置６が短くても、照明装置６から照射される光は前パネル３１の上下方向全長に亘って届き、また、左右方向にも広がる。
【００５０】
照明装置６が少なくとも前パネル３１の上下方向の中央に配置されることで、前パネル３１の上下方向の少なくとも中央部が照らされる。中央部が照らされれば、その上下方向の端部側へは人の意識が向きにくいので、前パネル３１の側縁３１ｃ、３１ｄと側壁１０２との間の隙間Ｓ１を目立たなくすることができる。よって、照明装置６を短くしても上記と同様の効果を奏する。また、照明装置６や、内部の光源である照明素子の数を減らすことができるとともに、照明装置６のデザインの自由度を上げることができる。
【００５１】
また、上記実施形態では、照明装置６は連結側板５に取り付けられることで、前パネル３１の背面に位置しているが、これに限られない。一対の側壁１０２のそれぞれと前パネル３１との間に形成される第１の隙間Ｓ１から光を照射することができればよく、間口調整材４やその他の部材に取り付けてもよい。また、照明装置を前パネルの前面側で、一対の側縁よりも幅方向内側に配置しても、前パネルの左右両側縁に沿っていれば、本発明の範囲である。
【００５２】
また、上記実施形態では、照明装置６は、前パネル３１の背面側に配置されて少なくとも一対の側壁１０２に対して光を照射する間接照明装置として説明しているが、これに限られない。照明装置を、前パネルと側壁との間に配置して、トイレルーム内を直接照らす直接照明として構成することも、本発明の範囲内である。
【００５３】
図５は、トイレ用キャビネットの他の実施形態における前パネル３１Ａ及び巾木３２Ａの下端近傍を示す拡大した側面図である。
図５に示すように、前パネル３１Ａの背面と巾木３２Ａの間に下側用照明装置６００を設けてもよい。下側用照明装置６００は、前パネル３１Ａの下端縁の幅方向に沿って配置される。より具体的には、前パネル３１Ａの下端部の背面側を側面視でコの字状に切り欠いて、切欠き部３１９を形成する。前パネル３１Ａの下端部の切欠き部３１９と、巾木３２Ａとで、床面１０３に向かって開口する側面視コの字状の空間を形成し、この空間に下方に向かって照らす下側用照明装置６００を配置する。
下側用照明装置６００から照射される光と、上記実施形態の照明装置６から照射される光とは、前パネル３１Ａの下端部の幅方向外側の角で重なる。前パネル３１Ａの下側の周囲を下側用照明装置６００と照明装置６とが連続して囲むように配置される。これより、前パネルが床面１０３から浮遊した状態であることが視認しやすくなる。
【００５４】
下側用照明装置６００は、トイレ用キャビネット３の下端縁３１ｂ側からトイレルーム１００の床面１０３に対して光を照射する間接照明装置であってよい。
また、他の下側用照明装置として、前パネルと床面との間に配置して、トイレルーム内を直接照らす直接照明として構成したものでもよい。
【符号の説明】
【００５５】
３        トイレ用キャビネット
６        照明装置
２１      便器本体
３１      前面部
１００    トイレルーム
１０２    一対の側壁
【図１】
2020089677.tif 000003
【図２】
2020089677.tif 000004
【図３】
2020089677.tif 000005
【図４】
2020089677.tif 000006
【図５】
2020089677.tif 000007